(57)【要約】【課題】厚さや剛性の異なるシート材であっても、一定の距離関係を保ちながら検知することが可能で、シート材の表面と平行な位置関係で面情報を検知できる。【解決手段】シート材を積載するシート材積載装置と、シート材積載装置の下面より最下層のシート材に接触してシート材の表面から得られる情報を出力する検知手段と、シート積載装置の下面より検知手段の近傍の最下層のシート材に接触して検知手段との接触による撓みを水平方向に引っ張ることで密着させる密着手段と、を備えた。【選択図】図１
2014162633.tif 000002
【特許請求の範囲】
【請求項１】
シート材を積載するシート材積載装置と、
前記シート材積載装置の下面より最下層のシート材に接触して前記シート材の表面から得られる情報を出力する検知手段と、
前記シート材積載装置の下面より最下層のシート材に接触して前記検知手段との接触による撓みを水平方向に引っ張ることで密着させる密着手段と、
を備えたことを特徴とするシート材識別装置。
【請求項２】
前記密着手段は、
前記最下層のシート材の下に、前記検知手段を中心にして対向するように配置され、前記最下層のシート材を吸着する第一の吸着手段及び第二の吸着手段と、
前記第一の吸着手段及び第二の吸着手段を、水平かつ、前記検知手段を中心として逆方向に所定の距離だけ移動させる移動手段と、を備えたことを特徴とする請求項１記載のシート材識別装置。
【請求項３】
前記密着手段は、
前記最下層のシート材の下に、前記検知手段を中心にして対向するように配置され、前記最下層のシート材に接触する、一対のローラ間に多数の貫通孔が形成されたベルトをエンドレスに張った第一及び第二のベルトコンベア手段と、
前記第一及び第二のベルトコンベア手段の各ベルトを介して前記最下層のシート材を吸引する吸引手段と、
を備えたことを特徴とする請求項２記載のシート材識別装置。
【請求項４】
前記移動手段は、
前記最下層のシート材の下に配置され、前記検知手段を中心にして対向するように接触し、一方が前記シート材積載装置の前記検知手段よりも画像形成装置との接合部側に固定され、他方が前記検知手段に対して前記接合部の反対側に水平方向に摺動可能な摺動部材に固定された一対の摩擦部材と、
前記シート材積載装置の前記摺動部材から下方に延出する規制部材移動手段と、
前記シート材積載装置の下方に水平に設けられ、前記シート材積載装置が所定の距離だけ移動すると前記規制部材移動手段と接触して位置を規制する位置規制部材と、
を備えたことを特徴とする請求項２記載のシート材識別装置。
【請求項５】
シート材の表面に対向して当該シート材の情報を検知する検知手段と、前記検知手段が検知した情報に基づいてシート材の識別を行う識別手段とを有するシート材識別装置において、
前記検知手段を、検知位置と待機位置との間で移動可能に支持する支持部材と、
該支持部材のシート材表面の対向する部位に設けられた基準部と、を有し、
前記待機位置の前記検知手段は前記検知位置及び前記基準部よりも前記シート材に近づいた位置にあり、
前記シート材の検知する際、前記支持部材と前記シート材の少なくとも一方を互いに近づく方向へ移動させて前記シート材を前記検知手段、前記基準部の順に当接させ、該基準部の前記シート材に当接によって上記移動が停止した位置を前記検知手段の前記検知位置に設定していることを特徴とするシート材識別装置。
【請求項６】
前記基準部が前記支持部材の前記シート材と対向する端縁部で前記検知手段の周囲を囲むように設けられていることを特徴とする請求項１に記載のシート材識別装置。
【請求項７】
前記支持部材はその内部に前記検知手段を支持し、少なくとも前記シート材の表面側が開放された箱状のケーシングであり、前記基準部が該ケーシングの前記シート材に対向する側の端縁部に設けられていることを特徴とする請求項５または６に記載のシート材識別装置。
【請求項８】
シート材の表面に対向して当該シート材の情報を検知する検知手段と、前記検知手段が検知した情報に基づいてシート材の識別を行う識別手段とを有するシート材識別装置において、
前記検知手段を支持し、該検知手段がシート材に接離する方向に移動可能な支持部材と、
該支持部材のシート材表面の対向する部位に設けられた基準部と、
該基準部に対して予め定めた距離に前記検知手段を保持する保持手段と、を有し、
前記基準部が前記検知手段よりも前記シート材に近づいた位置であり、
前記シート材の検知する際、前記支持部材と前記シート材の少なくとも一方を互いに近づく方向へ移動させ、前記シート材に前記基準部を当接して前記支持部材の移動が停止した位置を前記検知手段の前記検知位置に設定していることを特徴とするシート材識別装置。
【請求項９】
前記検知手段が前記シート材の表面から離して配置してシート材を識別する光学式の検知手段であることを特徴とする請求項８に記載のシート材識別装置。
【請求項１０】
請求項１ないし９の何れかに記載のシート材識別装置を用いることを特徴とする画像形成装置。
【発明の詳細な説明】
【技術分野】
【０００１】
本発明は、画像が記録されるシート材を識別するシート材識別装置及び画像形成装置に関するものである。
【背景技術】
【０００２】
複写機、プリンター、ファクシミリ装置、及び複合機等の画像形成装置において、シート材の大きさ、種類、材質等の予め識別し、そのシート材に最適な条件で画像を記録することが要望されている。そこで、画像記録に先立って実施する給紙シート材を識別する方式としては非接触方式と接触方式が知られている。
【０００３】
シート材を識別する非接触方式として、発光体と受光体とをシート面に対して、同一面側に配置し、発光体から照射され、シート面で反射した光を受光量に応じて識別する、反射型センサが挙げられる。また、発光体と受光体とはシート面に対して、異なる面側に配置し、発光体から照射され、シート材を透過した光を受光量に応じて識別する、透過型センサが挙げられる。これらの光学式は汎用的に使用されることが知られている。
【０００４】
また、発信体と受信体とをシート面に対して、異なる面側に配置し、発信体から発する超音波のシート材への伝播状態を受信して識別を行う、超音波センサが知られている。また、ＣＩＳ、ＣＣＤ等のイメージセンサを用いて、表面性状をそのまま画像情報として取り込み、情報処理することで、シート材を識別する方式も知られている。
尚、ＣＩＳはContact Image Sensorの略で、密着イメージセンサを意味し、等倍光学方式のイメージセンサに利用される。ＣＣＤは、Charge Coupled Deviceの略で、電荷結合素子を意味し、光学縮小方式のイメージセンサに利用される。
【０００５】
また、シート材を識別する接触方式ではローラ等を加圧する付勢部材に感圧センサを接続し、シート材がローラを通過する際に、付勢部材が受けた反力を検知して識別する方式が知られている。この方式ではシート材の厚み成分に対して比較的精度良く検出することができる。
【０００６】
しかしながら、上記非接触方式における光学を用いた形式では例えば反射型や透過型のセンサであれば、比較的安価な構成で、シート材を検出できるが、シート材の有無を判断する程度の性能に留まり、面情報の区別には適さない。
それに対して、ＣＩＳ、ＣＣＤ等のイメージセンサは、表面上の模様や色彩を詳細に検知するのに適しているが、コストが相応にかかってしまうのに対して、厚み・凹凸成分の検出までは行えず、別途入力手段を有する必要がある。
さらにまた、シート材の反力を検知する接触検出方式では、シート材の厚み成分に対して、精度良く検出が行えるが、反力から面情報までを詳細検知するには、情報が少ない。また、走査方式においては、シート材が揺動しないように固定が必要であったり、走査するため、検知時間が比較的長くなったりするなど、細かい制約条件がさらに必要になってくる。
【０００７】
これら上記の構成においては、面情報を単独の情報に基づいて区別するものであり、面情報の取得としては、情報量に不足が発生してしまう。
シート材の識別機能として、センサの検知面をシート材の表面に押し当てて、表面性上を検知する感圧式センサによる検知手段が提案されており、センサとシート材との接触方式としては、特許文献１にシーソーのような構造で、センサを一方の軸端部に固定し、他方の軸端部の上下動により、シート材の表面に押し当てる方式が提案されている（例えば、特許文献１、２参照。）。
【０００８】
しかしながら、特許文献１に記載のような方式の場合、検知面が軸部材の支点を中心として回転運動しながらシート材表面に接触することになる。このため、厚さや剛性といったシート材の条件によっては、検知面が片当たり等をしてシート材表面に密着しない状態となり、シート材の面情報が正しく検知できないという懸念があった。
また、特許文献２には、接触式センサの高寿命化する目的で、セットされた用紙束の一番上の用紙を紙種検知センサの位置まで搬送し、紙種検知を行うことが開示されている。
しかしながら、特許文献２に記載の発明では制御の複雑化、用紙の位置での検知の準備にかかる時間が増加するという問題がある。
【発明の概要】
【発明が解決しようとする課題】
【０００９】
本発明は、上記した従来の問題に鑑み、厚さや剛性の異なるシート材であっても、一定の距離関係を保ちながら検知することが可能で、シート材の表面と平行な位置関係で面情報を検知できることを目的としている。
【課題を解決するための手段】
【００１０】
上記課題を解決するため、請求項１に記載の発明は、シート材を積載するシート材積載装置と、前記シート材積載装置の下面より最下層のシート材に接触して前記シート材の表面から得られる情報を出力する検知手段と、前記シート材積載装置の下面より前記検知手段の近傍の最下層のシート材に接触して前記検知手段との接触による撓みを水平方向に引っ張ることで補正する補正手段と、を備えたことを特徴とする。
【発明の効果】
【００１１】
本発明によれば、シート材に対して検知手段を一定圧でシート材に当接できるため、計測結果のバラツキを抑え、精度の良いシート材識別を行うことができる。
【図面の簡単な説明】
【００１２】
【図１】一実施形態に係る紙種検知センサを含む給紙部１の構成について説明する図である。
【図２】シート材積載装置６２の紙種検知方式についての説明図である。
【図３】シート材吸着装置６９Ａ、６９Ｂの吸着動作の説明図である。
【図４】（Ａ）、（Ｂ）は、シート材吸着装置６９の引張動作の説明図である。
【図５】シート材識別装置１００についての説明図である。
【図６】面情報の処理方法についての説明図である。
【図７】給紙部１の他の実施形態についての説明図である。
【図８】給紙部１の他の実施形態についての説明図である。
【図９】給紙部１の他の実施形態についての説明図である。
【図１０】給紙部１の他の実施形態についての説明図である。
【図１１】給紙部１の他の実施形態についての説明図である。
【図１２】他の実施形態に係るシート材識別装置を有する画像形成装置の給紙部を示す説明図である。
【図１３】シート材識別装置の概要を示す斜視図である。
【図１４】（ａ）はシート材識別装置の待機位置、（ｂ）は検知位置を示す説明図である。
【図１５】（ａ）はシート材識別装置が待機位置の給紙部、（ｂ）はシート材識別装置が検知位置の給紙部を示す説明図である。
【図１６】図１３に示すシート材識別装置の変形例であって、（ａ）はシート材識別装置の待機位置、（ｂ）は検知位置を示す説明図である。
【図１７】図１３に示すシート材識別装置の別の変形例であって、（ａ）はシート材識別装置の待機位置、（ｂ）は検知位置を示す説明図である。
【図１８】図１３に示すシート材識別装置のさらに別の変形例であって、（ａ）はシート材識別装置の待機位置、（ｂ）は検知位置を示す説明図である。
【図１９】待機位置におけるシート材識別装置とピックアップコロ等の給紙手段との位置関係を示す説明図である。
【図２０】検知位置におけるシート材識別装置と給紙手段との位置関係を示す説明図である。
【図２１】給紙時のシート材識別装置と給紙手段との位置関係を示す説明図である。
【図２２】光学式の検知手段を用いるシート材識別装置を示し、（ａ）はシート材識別装置が待機位置、（ｂ）は検知位置の説明図である。
【図２３】図２１に示すシート材識別装置の変形例であって、（ａ）はシート材識別装置が待機位置、（ｂ）は検知位置の説明図である。
【図２４】シート材に当て点で検知するセンサを用いたシート材識別装置であって、（ａ）はシート材識別装置が待機位置、（ｂ）は検知位置の説明図である。
【図２５】シート材識別装置にシート材から離し点で検知するセンサを用いたものであって、（ａ）はシート材識別装置が待機位置、（ｂ）は検知位置の説明図である。
【図２６】シート材に検知手段を押圧して得る情報を示す説明図である。
【図２７】シート材識別装置の制御ブロック図である。
【図２８】面情報の検索例を示す説明図である。
【図２９】面情報の検索の一態様を示す説明図である。
【図３０】情報の検索の他の態様を示す説明図である。
【発明を実施するための形態】
【００１３】
以下、本発明の実施の形態について説明する。
＜実施形態１＞
本発明の一実施の形態を説明する。
本発明は、接触式の紙種検知センサの検知に際して、以下の特徴を有する。
［概  要］
要するに、シート材の検知面を引っ張ることでセンサに密着させ、センサに対するシート材の押圧力を均一化し、少量のシート材が積載された場合でも、シート材積載量の影響を受けることなく高精度なセンサ検出が可能となることを特徴とする。
上記記載の本発明の特徴について、以下の図面を用いて詳細に解説する。
図１は、一実施形態に係る紙種検知センサを含む給紙部１の構成について説明する図である。
【００１４】
給紙部１はシート材積載装置６２を有する。まず、シート材積載装置６２の概略について説明する。
シート材積載装置６２はシート束６４を格納することが出来る。シート束６４はサイドフェンス６５Ａ、６５Ｂによりシート材積載位置が固定される。シート束６４を下部から支持しているシート材積載装置底部６３にはセンサ押圧装置６６が配置されており、シート束６４が積載されるとセンサ押圧装置６６と最下層のシート材６４Ｂとが密着する。センサ押圧装置６６のシート材接触面には検知手段としてのシート材識別装置１００が設置されており、シート束６４の積載時にはシート材識別装置１００とシート束６４とが接触しシート材の種類を判別する。
また、シート材積載装置底部６３には第一の吸着手段としてのシート材吸着装置６９Ａ、及び第二の吸着手段としてのシート材吸着装置６９Ｂが搭載されている。シート材吸着装置６９が最下層のシート材６４Ｂを吸着し、シート材積載装置底部６３に密着させる。
シート材吸着手段６９Ａ、６９Ｂ、及び後述する移動手段で密着手段が構成されている。
尚、給紙部１の動作は全て制御手段としてのＣＰＵが制御する。
【００１５】
図２は、シート材積載装置６２の紙種検知方式についての説明図である。図３は、シート材吸着装置６９Ａ、６９Ｂの吸着動作の説明図である。図４（Ａ）、（Ｂ）は、シート材吸着装置６９の引張動作の説明図である。
【００１６】
シート材積載装置６２の紙種検知方法について説明する。
シート材積載装置６２の下部に設置されたセンサ押圧装置６６によってシート束６４の紙種を検知する場合、シート束６４の重さによりセンサ押圧装置６６を押圧する必要がある。従って、シート束６４の重量が適切でない場合、シート材識別装置１００に十分にシート束６４が接触せず、正しく紙種を判別することが出来ない懸念が生じる。
例えばシート束６４のシート材が薄紙の場合、もしくはシート束６４の枚数が極めて少ない場合には最下層のシート材６４Ｂはシート材積載装置底部６３に対し、局所的に浮き上がった状態になる可能性が生じる。その場合、シート材識別装置１００が最下層のシート材６４Ｂと全面で接触できず正確な紙種情報を取得できない。
【００１７】
そこで、シート材吸着装置６９Ａ、６９Ｂが最下層のシート材６４Ｂに対しシート材識別装置１００と完全に接触するよう紙種検知の補助を行う必要がある。シート材吸着装置６９Ａ、６９Ｂはセンサ押圧装置６６を中心として対称的な位置、すなわち対向するように配置されている。
シート材吸着装置６９Ａ、６９Ｂは、吸着動作と引張動作との二つの動作を行うことで最下層のシート材６４Ｂの浮き上がりを防止し、シート材識別装置１００への接触を安定させる（図４参照）。
【００１８】
吸着動作ではシート材吸着装置６９Ａ、６９Ｂに吸着力を生じさせ、最下層のシート材６４Ｂとシート材吸着装置６９Ａ、６９Ｂとが密着するように接触させる。吸着装置６９Ａ、６９Ｂが吸着動作を行うと共に水平方向に引張動作を行う。
引張動作ではシート材吸着装置６９Ａ、６９Ｂが最下層のシート材６４Ｂを吸着したままシート材吸着装置６９Ａ、６９Ｂをセンサ押圧装置６６から互いに離れる方向に移動させる。すなわち、シート材吸着装置６９Ａ、６９Ｂの吸着動作と引張動作とによりシート材識別装置１００上に存在する最下層のシート材６４Ｂをシート材識別装置１００と密着させる（図４参照）。
【００１９】
ここで、図４（Ｂ）は、図１〜図３（Ａ）に示したシート材吸着装置６９Ａ、６９Ｂの移動手段についての説明図である。
シート材吸着装置６９Ａは、例えば、モータＭ９１、モータＭ９１の出力軸に連結された送りネジ９２、及び送りネジ９２に螺合しシート材吸着装置６９Ａに固定されたボールスクリュー９３により、送りネジ９２に沿って水平移動できるようになっている。すなわち、モータＭ９１が駆動されると、水平に配置された送りネジ９２が回転し、ボールスクリュー９３が送りネジ９２に沿って移動する。送りネジ９２の移動に伴い、シート材吸着装置６９Ａが水平方向に移動する。
これらモータＭ９１、送りネジ９２、及びボールスクリュー９３で移動手段が構成されている。
シート材吸着装置６９Ｂもシート材吸着装置６９Ａと同様の構造を有するが、ボールスクリューの移動方向は逆方向であり、移動速度は同一に設定されている。尚、シート材吸着装置６９Ａ、６９Ｂの移動は限定されるものではなく、ラックギヤ、ピニオンギヤ、及びモータを組み合わせても良い。
【００２０】
図５は、シート材識別装置１００についての説明図である。図６は、面情報の処理方法についての説明図である。
シート材識別装置１００は、センサ押圧装置６６と面情報検知手段６８とで構成されている。シート材識別装置１００は、シート材識別装置１００の上部にある面情報検知手段６８を検知対象としてのシート材８１に接触させ、シート材８１の面情報を検知する。面情報検知手段６８を用いて得られた面情報のシート材識別情報はシート材識別装置１００内で図６のように最小単位８３に分割される。要素にかかる圧力等の情報配列８４により、紙銘柄特有の識別情報としてシート材８１の識別を行う。
【００２１】
シート材８１の識別のためのシート材識別装置１００により得るべき面情報としては、例えば圧力が考えられる。シート材８１とシート材識別装置１００との間に所定の加圧力関係が働くことにより、図６のように面内の情報配列８４を検知することが可能である。加圧力を検知するためのシート材識別装置１００としては、例えば特開平０８−０６８７０４号公報で提案されたような下面に導電膜を有する可撓性の圧力シートとアクティブマトリクス型液晶駆動用回路基板とにより構成された面圧パネルが挙げられる。
【００２２】
検出メカニズムとしては、面圧パネルを有するシート材識別装置１００を検知対象のシート材８１に接触させることで、接触時の加圧力に起因するシート材８１の撓みが発生する。シート材８１が撓むことで薄膜トランジスタまたはダイオードが導通され、撓み量の違いから面圧パネルの最小単位に流れる電流値が変化する。この結果、加圧力の面分布を検出できる。この方法によりシート材８１の面情報を迅速かつ高精度に検出することが可能となる。
【００２３】
検出情報の識別の際には、紙種データベースに登録されているシート材情報から面圧パネルより検出した面分布と任意の閾値Ｎ％とが一致している情報を検索し、該当するシート材情報をシート材識別装置１００より検出された紙種情報として認識する。
【００２４】
＜実施形態２＞
図７〜１１は、給紙部１の他の実施形態についての説明図である。
本実施形態ではシート材吸着装置６９Ａ、６９Ｂにはエアー吸着方式を採用している。シート材吸着装置６９Ａは、搬送ベルト７０Ａ、一対のローラ、エアー吸着装置７１Ａ、及び搬送ベルト駆動装置としてのモータＭ７２Ａを有する。シート材吸着装置６９Ｂは、搬送ベルト７０Ｂ、一対のローラ、及びモータＭ７２Ｂを有する。
これら、搬送ベルト７０Ａ、一対のローラ、エアー吸着装置７１Ａ、及びモータＭ７２Ａ、もしくは搬送ベルト７０Ｂ、一対のローラ、及びモータＭ７２Ｂで移動手段が構成されている。すなわち、一対のローラ間に多数の貫通孔が形成された搬送ベルト７０Ａ、７０Ｂをエンドレスに張った第一及び第二のベルトコンベア手段が構成されている。
【００２５】
エアー吸着装置７１Ａ、７１Ｂとしては、例えば、ファンで吸引することが挙げられるが限定されるものではなく、静電気を利用してもよい。但し、ファンで吸引する場合には、第一のベルトコンベア手段の搬送ベルト７０Ａ、及び第二のベルトコンベア手段の搬送ベルト７０Ｂには多数の貫通孔が形成されている必要がある。
本実施形態の場合、吸着動作ではエアー吸着装置７１を動作させ最下層のシート材６４Ｂを搬送ベルト７０Ａ、７０Ｂに吸着させる（図８参照）。
最下層のシート材６４Ｂの搬送ベルト７０Ａ、７０Ｂへの吸着後、搬送ベルト駆動装置７２Ａ、７２Ｂにより搬送ベルト７０Ａ、７０Ｂを互いに反転させセンサ押圧装置６６から互いに離れる方向にシート材６４Ｂに引っ張り力を与える。この引っ張り力により、シート材６４Ｂは平坦化されてシート材識別装置１００で精度良く識別することができる。
【００２６】
＜実施形態３＞
図１０、１１に示す実施形態は、駆動手段を用いずにシート材の識別を行うものである。
本実施形態におけるシート材吸着装置６９は、位置規制部材７３、及び規制部材移動装置７４を有する（図１０参照）。
位置規制部材７３は、堆積したシート材を分離するために用いられる、例えばフリクションパッドのように摺動性が低い摩擦部材からなる位置規制部材７３Ａ、７３Ｂであり、接触面に対し水平に移動することでシート材を吸着、移動可能な素材であればよい。画像形成装置との接合部７６に拘束部材７５が設置されている。
位置規制部材７３Ｂは、シート材識別装置１００に対して画像形成装置との接合を行う接合部７６の反対側に水平方向に摺動可能な摺動部材７４ａに固定されている。
摺動部材７４ａの下端には規制部材移動手段としての規制部材移動部材７４ｂが下方に一体的に延出している。
シート材積載装置６２を画像形成装置にセットする場合、規制部材移動部材７４が拘束部材７５に接触し、押し上げられ位置規制部材７３が移動する。その結果、シート材識別装置１００に最下層のシート材６４Ｂが密着し、シート材６４Ｂが精度良く識別される（図１１参照）。
【００２７】
＜実施形態４＞
本発明の他の実施の形態について添付図面を用いて説明する。
図１２は、シート材識別装置１０を備えた画像形成装置の給紙部１を示す説明図である。
図１２において、符号２はシート材としてのシートＰを積載する給紙台、３は積載されたシートＰの最上紙に接してこれを矢印Ａ方向に送り出すピックアップコロである。給紙台２は後述する給紙台昇降装置９によって最上紙がピックアップコロ３に接する位置に押し上げられる。ピックアップコロ３により送り出されたシートＰは、フィードローラ４と分離ローラ５に挟持され、最上のシート材のみが矢印Ａ方向に給紙される。尚、符号７は給紙されたシートＰを図示していない画像形成部へ向けて搬送する搬送ローラ、符号８は給紙台２に載置されたシート材の後端をガイドするエンドフェンス、また符号９は給紙台２を上下方向に昇降させる給紙台昇降装置である。
【００２８】
このように構成された給紙部１には図１２及び図１３に示すように、シート材としてのシートＰの上方にシート材識別装置１０が配置されている。シート材識別装置１０は、ケーシング１２の内部に検知センサ１１を具備し、検知センサ１１はその検知面１１ａが検知方向を被検知体であるシートＰの表面に対向する部位に配置されている。検知センサ１１は図１４に示すように、ケーシング１２の底に形成された窓状の基準部１３から検知面１１ａが突出する。しかし、ケーシング１２内に設けられた押圧手段としてのバネ１４に吊るされてケーシング１２外へ抜け出すことが無いように構成されている。すなわち、バネ１４の一端はケーシング１２内部天井に固定され、他端は検知センサ１１に固定されている。
【００２９】
検知センサ１１は、バネ１４を介して支持部材としてのケーシング１２に支持されており、通常の検知センサ１１はケーシング基準部１３から抜け出ない位置に保持されている。また、シート材識別装置１０は図示していない昇降手段によってケーシング１２が上下方向に移動できる。それによって検知センサ１１の検知面１１ａが最上シートＰの面に接する検知位置（図１４（ｂ）に示す）と最上シートＰの面から離れる待機位置（図１４（ａ）に示す）との間を昇降可能となっている。
【００３０】
このように構成されたシート材識別装置１０は、待機位置の検知センサ１１が基準部１３よりもシートＰに近づいた位置にある。検知センサ１１としては検知面１１ａがシートＰに一定の力で当接させてシート材を識別する圧力センサを用いている。
シート材識別装置１０は通常、図１４（ａ）及び図１５（ａ）に示すように、検知センサ１１が積載シートの最上シート面から離れた待機位置に保持されており、ここで給紙指令が発せられてシートＰ束が図１５（ｂ）に示す給紙位置へ押し上げられる。
次に、シート材識別動作が開始されてケーシング１２が直線的に下降を開始し、検知面１１ａがシートＰに接する。
さらに、シート材識別装置１０が下降すると、基準部１３がシートＰに当接してケーシング１２の下降が停止する。この位置が検知センサ１１の検知位置であり、検知センサ１１はケーシング１２の基準部１３がシートＰに圧接されているシートＰに正対した状態になる。さらに、このときにバネ１４によって検知センサ１１が押されるので、シート面に対して常に一定の押圧力によっ検知シート材であるシートＰの表面に当接することになる。
【００３１】
よって、シート材識別装置１０のケーシング１２は検知センサ１１を検知面がシート面に正対する状態のまま待機位置から検知位置に移動し、正対したまま当接させられる。このため、検知センサ１１の検知面が片当たり等をしてシート材表面に密着できずにシートＰの面情報が正しく検知できなくなるという問題等を回避することができる。尚、シート材識別装置１０のケーシング１２はシート面に対し、図示するように、鉛直方向に上下動させて検知するように構成することが好ましいが、ケーシング１２はシート面に対して垂直に移動して接離させるならば、鉛直方向でなくともよい。
【００３２】
＜実施形態５＞
図１６（ａ）、（ｂ）ないし図１８（ａ）、（ｂ）は、図１３の実施形態と同様に、検知センサ１１として圧力センサを用いてシートを識別するシート材識別装置１０の変形例であり、それぞれ（ａ）は待機位置、（ｂ）は検知位置を示している。
【００３３】
図１６に示すシート材識別装置１０は検知センサ１１のシートへの当接を検知センサ１１の自重を利用して検知センサ１１の検知面をシートに当接させている。このとき、検知センサ１１をケーシング１２に固定したワイヤ、チェーン等の吊り部材１５で吊るすことによってシートＰと検知センサ１１の間隔を一定に保つことができる。
【００３４】
図１７は、図１６に示す例の検知センサ１１において、重り１６を付けてシートへの当接力を高めている。
また、図１８は上記した図１３の実施形態に用いているバネ１４の代わりにゴムやスポンジといった弾性部材１７を用いた例である。検知位置では弾性部材１７が圧縮されて検知センサ１１をシートＰに押圧している。
【００３５】
上記実施形態では、シート材を検知する際、シート材識別装置１０のケーシング１２を検知センサ１１ごと検知位置に移動させているが、シート材識別装置１０の位置を固定しシートＰを移動して検知センサ１１を検知位置に移動させてもよい。例えば、図１５において、シート材識別装置１０を図示する位置に位置固定で配置し、給紙台２を上昇させて検知位置に移動し、シートＰを識別のための検知をすることができる。
【００３６】
ところで、上記実施形態ではシート材識別装置１０を給紙部に設けている。従って、基準部１３及び検知センサ１１を当接して検知をし、シートに給紙すると、シートが基準部１３及び検知センサ１１との接触によって傷が付いたり、その摩擦抵抗によってジャムやスキューを発生させたりすることがある。このとき、シート材識別装置１０を下降して検知を行う形式では検知終了後、シート材識別装置１０を上昇させてシート材から基準部１３や検知センサ１１を離せばよい。
【００３７】
しかしながら、給紙台２を上昇させて検知する場合、シートＰの最上面が給紙位置に対して上昇中に検知センサ１１と接触して検知を行うと、上昇完了後に給紙開始された場合、シートＰと検知センサ１１及び基準部１３との接触が解消されない。このため、検知センサ１１によって最上面のシートＰにキズを発生させたり、摩擦抵抗となって、搬送遅延やジャムを引き起こしたりする懸念がある。また、その状態を解消するために、シート材識別装置１０を上下動させるための動力を増設することは、構成の複雑化に繋がる。
【００３８】
＜実施形態６＞
そこで、図１９〜図２１に示す実施形態では次のような措置を講じている。
図１９は、待機位置におけるシート材識別装置１０とピックアップコロ３等の給紙手段との位置関係を示す説明図である。図２０は、検知位置におけるシート材識別装置１０と給紙手段との位置関係を示す説明図である。図２１は給紙時のシート材識別装置１０と給紙手段との位置関係を示す説明図である。
【００３９】
図１９において、ここに示す給紙装置は給紙台昇降タイプであり、給紙台２は最下位置に位置し、この状態で給紙トレイの引き出し等によってシートの補給や入れ替えを行うことができる。当該給紙装置に設けられているシート材識別装置１０は、位置固定で、検知センサ１１の高さ位置は処置位置である給紙位置の高さ、すなわち、ピックアップコロ３が最上シートに接してシートを給紙する高さよりも高い位置に設置されている。
【００４０】
ここで、給紙に先立ち、積載シートの識別のための検知を行う場合、図２０に示すように、最上シートが給紙高さレベルよりも高い、検知センサ１１が検知位置に到達する位置まで給紙台２を上昇させる。ピックアップコロ３は一端が支点３ｂを介して回動可能に装着されたレバー３ａの他端に支持されている。シートの上昇でピックアップコロ３及びレバー３ａがシートに押されるとピックアップコロ３が図の時計方向に回動し、検知センサ１１が検知位置に到達する。このとき、必要であれば、ピックアップコロ３を上方等に退避させる等して昇降装置９によって最上シートを給紙高さよりも上昇させてもよい。かくして、検知センサ１１と最上シートとを接触させることで、検知を行い、検知結果が得られた後、再度昇降装置９によって最上シートを図２０に示すように距離Ｓ分下げ、良好に給紙できる給紙位置まで下降させて、給紙を開始する構成が望ましい。
【００４１】
このような構成により、検知センサ１１を上下動させるための動力も必要なく、シート検知後、最上シートが給紙レベルに戻してから給紙処理を行うので、検知センサ１１は給紙動作中にシート材に接触せず、シート材の搬送品質を確保できる。
また、得られたシート材の情報から、データベースによる情報照会結果を元に、画像形成条件を自動設定可能にすることで、より簡単に画像形成装置を扱うことが可能になる。
【００４２】
以上の実施形態は検知センサ１１に圧力センサを用いた実施の形態であるが、本シート材識別装置１０は検知センサとして光学センサを用いることもできる。
＜実施形態７＞
図２２（ａ）、（ｂ）は、検知手段として光学センサ２１を用いたシート材識別装置１０を示す説明図である。
【００４３】
図２２に示す光学センサ２１は、図示しない発光素子と受光素子とを備えた反射型の光学式のセンサであり、光学センサ２１はケーシング１２の端部である基準部１３よりも上方に設置された保持手段であるストッパ部材２２に着座した位置に保持されている。このストッパ部材２２に着座している光学センサ２１は、その検知面から基準部１３までの間隔Ｌが検知に好ましい長さに設定されている。ケーシング１２の上部には押圧手段としてのバネ１４が設けられ、バネ１４の上部は図示しない押え部材に押さえられている。
【００４４】
このシート材識別装置１０の検知動作時は、図２２（ｂ）に示すように、上記実施形態と同様に、ケーシング１２が下降してケーシング１２の基準部１３がシートＰの面に当接する。さらに、ケーシング１２が適当な長さだけ下降することで、バネ１４力がストッパ部材２２、ケーシング１２を介して基準部１３をシート面に確実に当接させ、光学センサ２１はその検知面からシート面までの間隔Ｌが一定長さに保持される。
【００４５】
＜変形例＞
図２３は図２２の実施形態の変形例で、図２２に示すものと同様に構成されたシート材識別装置１０が光学センサ２１の検知面側を開放した大ケーシング２３に覆われている。従って、バネ１４は大ケーシング２３とケーシング１２の間に配置されている。
【００４６】
このように構成されたシート材識別装置１０は、図２３（ｂ）に示すように、検知動作時に大ケーシング２３が下降してケーシング１２の基準部１３がシートＰの面に当接する。さらに、大ケーシング２３が適当な長さだけ下降することで、ケーシング１２の基準部１３のバネ１４に押されて確実に当接し、光学センサ２１はその検知面からシート面までの間隔Ｌが一定長さに保持される。
【００４７】
本発明のシート材識別装置１０は、検知手段の形態として所定平面を持つセンサで説明したが、センサの形態としては検知面を有するものに限らず、図２４及び図２５に示すように点で検知するセンサ３１で接触／非接触に関わらず検知してもよい。尚、図２４は図１３の実施形態の図面を利用し、図２５は図２２の実施形態のものを利用している。
【００４８】
次に、図１３ないし図２３の検知センサ１１の検知面をシートＰの面に検知手段を押圧して得る情報の取得と、その取得した情報を用いたシート識別方法にいて説明する。
図２６で検知センサ１１が取得する情報は、例えば検知可能な領域を分割、あるいは所定間隔に配列される点の集合等の小単位の情報４０の情報に変換し、所定時間内に得られた結果を結合させ、面情報４１と認識し、シート材を区別するものである。
【００４９】
図２７に面情報の処理の流れについて説明する。検知センサ１１は、識別手段であるＣＰＵ等の処理手段５１に接続され、処理手段５１にはＨＤＤ等の記憶手段５２が接続されている。検知センサ１１によって得られた小単位の情報４０は、矢印５３の流れに沿って、処理手段５１に転送され、面情報４１へと結合される。そして、矢印５４の流れに沿って、記憶手段５２に転送し記憶される。ＣＰＵはCentral Processing Unitの略であり、ＨＤＤは、Hard Disc Driveの略である。
【００５０】
シートＰの面より得られる情報としては、例えば、圧力が考えられ、シートＰと検知センサ１１との間に、所定の加圧力関係が働く。これにより、図２６に示すような面内の情報分布を検知することが可能で、シートＰを識別するための情報として活用することができる。圧力を検知するための検知センサ１１としては、例えば、特開平０８−６８７０４号公報に記載されているような、下面に導電膜を有する可撓性の圧力シートと、アクティブマトリクス型液晶駆動用回路基板を用いた面圧パネルが考えられる。すなわち、加圧力による圧力シートの撓み具合によって、薄膜トランジスタまたは、ダイオードが導通され、そのとき流れる電流の電流値によって、圧力の面分布が迅速且つ高精度に検出できるので、シートＰの面情報の取得手段として適している。
【００５１】
次に、情報の照合方法について記載する。
記憶手段５２には、少なくとも複数のシートＰに対する、既存面情報４２を蓄積しているものとする。既存面情報４２は、それを特定するための情報、例えば銘柄、厚さ、色、材質等の情報に紐付けられて、記憶手段５２に格納されている。
【００５２】
新たなシートＰを検知センサ１１が検知すると、その情報から図２７の処理手段５１によって新たな面情報４１が生成される。処理手段５１は図２８に示すように、記憶手段５２に対してそこに記憶されている面情報との照会を行うことができる。処理手段５１は既存面情報４２と、任意の閾値とがＮ％以上一致している情報があるか否かを、記憶手段５２内の既存面情報４２に対して検索する。一致する情報があれば、その面情報４２に紐付けられたシートを特定する情報を図２５における矢印５５の流れに沿って転送する。これによって検知したシートＰを特定する情報を得ることができる（図２９）。
【００５３】
一致する情報が検索されなかった場合には、新規情報と区別され、図示しない入力手段により得られる新しい特定情報４３を入力し、新規の面情報４１を紐付けて記憶手段５２に格納するように、処理手段５１によって、入力処理が行われる（図３０）。
【００５４】
以上の構成によれば、シート材は所定面積内の複数の情報に基づき、区別・照合されるため、詳細且つ膨大な種類のシート材の区別を行うことができる。
また、このような、シート材識別装置１０は、シート材の識別を必要とする様々な装置への応用が考えられるが、その中でも、複写機、プリンター、ファクシミリ装置等の画像形成装置分野への応用が期待される。
【００５５】
画像形成装置内に上記構成によるシート材識別装置１０を組込むことにより、印刷のために画像形成装置内の給紙装置にシート材をセットあるいは１枚通紙等を行う等するだけで、シート材の各種情報が自動設定可能となる。このため、ユーザによる各種情報入力の手間を助け、また、入力ミス等のヒューマンエラー抑制効果が期待できる。
【００５６】
自動設定された情報によって、画像形成装置としては、作像プロセス速度を変化させる等、ユーザの情報入力を待たずに、マシンの設定も可能となるため、プリントタイムの短縮等、効率化が期待できる。
【００５７】
尚、シート材識別装置１０は給紙部に限らず、画像形成装置内のシート材が通る適宜位置に配置することができる。
【００５８】
＜作用効果＞
以上において、本実施形態によれば、トレイ底部に設置された吸着装置を用いて最下層のシート材を引っ張ることにより、トレイの積載量が少なくてもシート材が撓むことなく押圧式紙種検知センサに接触することが可能になる。この結果、シート材を入れ替える際のトレイセットで紙種検知センサをシート材に接触させ判別を行うため、紙種検知の回数を最小限にとどめセンサの高寿命化を図ることができる。
【００５９】
本実施形態によれば、吸着装置により下部から紙種検知センサを押圧する構成においてもセンサの高精度化を達成することができる。
【００６０】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００６１】
１    給紙部
１０、１００    シート材識別装置
１１    検知センサ
１２    ケーシング
１３    基準部
１４    バネ
２１    光学センサ
２２    ストッパ部材
２３    大ケーシング
６２    シート材積載装置
６３    シート材積載装置底
６４    シート束
６４Ａ、６４Ｂ、８１    シート材
６６  センサ押圧装置
６８    面情報検知手段
６９Ａ、６９Ｂ    シート吸着装置
７０Ａ、７０Ｂ    搬送ベルト
７１Ａ、７１Ｂ    エアー吸着装置
７２Ａ、７２Ｂ    モータＭ
７３    位置規制部材
７４    規制部材移動装置
７５    拘束部材
Ｐ  シート
【先行技術文献】
【特許文献】
【００６２】
【特許文献１】特開２０１１−０７５８６９号公報
【特許文献２】特開２０１１−０７５８７５号公報
【図１】
2014162633.tif 000003
【図２】
2014162633.tif 000004
【図３】
2014162633.tif 000005
【図４】
2014162633.tif 000006
【図５】
2014162633.tif 000007
【図６】
2014162633.tif 000008
【図７】
2014162633.tif 000009
【図８】
2014162633.tif 000010
【図９】
2014162633.tif 000011
【図１０】
2014162633.tif 000012
【図１１】
2014162633.tif 000013
【図１２】
2014162633.tif 000014
【図１３】
2014162633.tif 000015
【図１４】
2014162633.tif 000016
【図１５】
2014162633.tif 000017
【図１６】
2014162633.tif 000018
【図１７】
2014162633.tif 000019
【図１８】
2014162633.tif 000020
【図１９】
2014162633.tif 000021
【図２０】
2014162633.tif 000022
【図２１】
2014162633.tif 000023
【図２２】
2014162633.tif 000024
【図２３】
2014162633.tif 000025
【図２４】
2014162633.tif 000026
【図２５】
2014162633.tif 000027
【図２６】
2014162633.tif 000028
【図２７】
2014162633.tif 000029
【図２８】
2014162633.tif 000030
【図２９】
2014162633.tif 000031
【図３０】
2014162633.tif 000032